【手続補正書】
【提出日】平成19年12月10日(2007.12.10)
【手続補正１】
【補正対象書類名】明細書
【補正対象項目名】特許請求の範囲
【補正方法】変更
【補正の内容】
【特許請求の範囲】
【請求項１】  製薬的に許容可能な担体との混合物である、ＰＲＯ２５６ポリペプチド、或いはそのアゴニスト又はアンタゴニストを含んでなる組成物。
【請求項２】  （１）製薬的に許容可能な担体との混合物である、（ａ）ＰＲＯ２５６ポリペプチド、（ｂ）ＰＲＯ２５６ポリペプチドのアゴニスト、又は（ｃ）ＰＲＯ２５６ポリペプチドのアンタゴニストを含んでなる組成物；
（２）前記組成物を含有する容器；及び
（３）心臓血管、内皮、及び血管形成疾患の治療における、前記組成物の使用について言及する前記容器に添付した標識、又は前記容器に包含されている包装挿入物を含んでなる製造品。
【請求項３】  （ａ）通常はＰＲＯ２５６ポリペプチドによって誘導される細胞応答の誘発に適した条件の下で、細胞とスクリーニングされる被験化合物を接触させること；並びに（ｂ）前記細胞応答の誘導が、前記被験化合物が効果的なアゴニストであることを示している、被験化合物が効果的なアゴニストであるか否かを決定するために前記細胞応答の誘導を測定することを含んでなる、ＰＲＯ２５６ポリペプチドのアゴニストを同定する方法。
【請求項４】  通常は前記ポリペプチドによって誘導される細胞応答が細胞増殖の阻害である、請求項３の方法。
【請求項５】  被験化合物とポリペプチドを接触させ、前記ポリペプチドの活性が阻害されるか否かを決定することを可能にならしめるのに十分な時間及び条件の下で、被験化合物とＰＲＯ２５６ポリペプチドを接触させることを含んでなる、ＰＲＯ２５６ポリペプチドの活性を阻害する化合物を同定する方法。
【請求項６】  （ａ）通常は前記ポリペプチドによって誘導される細胞応答の誘発に適した条件の下で、細胞とスクリーニングされる被験化合物を接触させること；並びに（ｂ）被験化合物が効果的なアンタゴニストであるか否かを決定するために前記細胞応答の誘導を測定する段階を含んでなる、ＰＲＯ２５６ポリペプチドの活性を阻害する化合物を同定する方法。
【請求項７】  通常は前記ポリペプチドによって誘導される細胞応答が細胞増殖の阻害である、請求項６の方法。
【請求項８】  ポリペプチドを通常は発現する細胞でのＰＲＯ２５６ポリペプチドの発現を阻害する化合物を同定する方法であって、前記ポリペプチドの発現を可能にする適切な条件の下で細胞と被験化合物を接触させ、そして前記ポリペプチドが阻害されるかどうかを決定することを含む方法。
【請求項９】  ＰＲＯ２５６ポリペプチドを発現する哺乳動物細胞における、前記ポリペプチドの発現を阻害する化合物。
【請求項１０】  前記化合物がアンチセンスオリゴヌクレオチドである、請求項９の化合物。
【請求項１１】  ＰＲＯ２５６ポリペプチドと特異的に結合する単離された抗体。
【請求項１２】  前記抗体が、他の任意のポリペプチド又はポリペプチドエピトープと実質的に結合せずに、前記ポリペプチド又は前記ポリペプチド上のエピトープと特異的に結合する、請求項１１の単離された抗体。
【請求項１３】  モノクローナル抗体、抗体断片、一本鎖抗体、又はヒト化抗体である、請求項１２の抗体。
【請求項１４】  ＰＲＯ２５６ポリペプチドコード化核酸配列中の変異の存否が、ＰＲＯ２５６ポリペプチドコード化核酸配列中の変異に関連する疾患の存在、又は前記疾患に対する感受性を示す、前記ポリペプチドコード化核酸配列での前記変異の存否を確定することを含んでなる、前記ポリペプチドコード化配列中の変異に関連する疾患又は疾患に対する感受性を診断する方法。
【請求項１５】  コントロール試料と比較して、被験試料での高い又は低い発現レベルが、哺乳動物における心臓血管、内皮又は血管形成疾患の存在を示す、（ａ）前記哺乳動物から得られた組織細胞の被験試料、（ｂ）同じ細胞型の既知の正常組織細胞のコントロール試料におけるＰＲＯ２５６ポリペプチドをコードする遺伝子の発現のレベルを分析することを含む、哺乳動物における心臓血管、内皮又は血管形成疾患を診断する方法。
【請求項１６】  被験試料中のＰＲＯ２５６ポリペプチドの存否が、哺乳動物における心臓血管、内皮又は血管形成疾患の存在を示す、前記哺乳動物から得た組織細胞の被験試料でのＰＲＯ２５６ポリペプチドの存否を検出することを含む、哺乳動物における心臓血管、内皮又は血管形成疾患を診断する方法。
【請求項１７】  抗-ＰＲＯ２５６抗体とＰＲＯ２５６ポリペプチドとの複合体の形成が、哺乳動物における心臓血管、内皮又は血管形成疾患を示す、（ａ）抗-ＰＲＯ２５６抗体と哺乳動物から得られた組織細胞の被験試料を接触させ、そして（ｂ）被験試料中での前記抗体とＰＲＯ２５６ポリペプチドの間の複合体の形成を検出することを含んでなる、哺乳動物における心臓血管、内皮又は血管形成疾患を診断する方法。
【請求項１８】  ＰＲＯ２５６ポリペプチドを含有すると思われる試料と抗-２５６抗体を接触させ、そして前記抗体と前記試料の成分の結合を確定することを含んでなる、ＰＲＯ２５６ポリペプチドの存在を測定する方法。
【請求項１９】  抗-ＰＲＯ２５６抗体及び適切な挿入物の担体を含んでなる、心臓血管、内皮又は血管形成疾患診断キット。
【請求項２０】  ＰＲＯ２５６ポリペプチド、或いはそのアゴニスト又はアンタゴニストの治療的有効量を含有してなる、哺乳動物における心臓血管、内皮又は血管形成疾患を治療するための医薬。
【請求項２１】  哺乳動物がヒトである、請求項２０に記載の医薬。
【請求項２２】  ヒトが心臓肥大、外傷、腫瘍の一型、又は加齢性黄斑変性である、請求項２０の医薬。
【請求項２３】  ＰＲＯ２５６ポリペプチドを心臓血管、内皮又は血管形成剤とともに投与する、請求項２０の医薬。
【請求項２４】  ＰＲＯ２５６ポリペプチドを、化学療法剤、成長阻害剤又は細胞障害性剤との組み合わせで投与する、請求項２３の医薬。
【請求項２５】  ＰＲＯ２５６ポリペプチド、或いはそのアゴニスト又はアンタゴニストをコードする核酸分子を含有してなる、哺乳動物における心臓血管、内皮又は血管形成疾患を治療するための医薬。
【請求項２６】  哺乳動物がヒトである、請求項２５の医薬。
【請求項２７】  核酸分子をエキソビボ遺伝子治療を通して投与する、請求項２５の医薬。
【請求項２８】  レトロウイルスベクターがレトロウイルス構造タンパク質と関連している、（１）プロモーター、（２）ＰＲＯ２５６ポリペプチド、或いはそのアゴニスト又はアンタゴニストをコードする核酸、並びに（３）ポリペプチドの細胞分泌のためのシグナル配列で基本的に構成されるレトロウイルスベクターを含んでなる組み換えレトロウイルス粒子。
【請求項２９】  エキソビボ生産細胞が、組み換えレトロウイルス粒子を生産するために構造タンパク質と関連するレトロウイルスベクターを詰め込んでおり、レトロウイルス構造タンパク質を発現し、そして（１）プロモーター、（２）ＰＲＯ２５６ポリペプチド、或いはそのアゴニスト又はアンタゴニストをコードする核酸、並びに（３）ポリペプチドの細胞分泌のためのシグナル配列で基本的に構成されるレトルウイルスベクターをも含む核酸構成分を含んでなるエキソビボ生産細胞。
【請求項３０】  哺乳動物での内皮細胞成長が阻害される、ＰＲＯ２５６ポリペプチド又はそのアゴニストの治療的有効量を含有してなる、哺乳動物での内皮細胞成長を阻害するための薬剤。
【請求項３１】  哺乳動物での内皮細胞成長が刺激される、ＰＲＯ２５６ポリペプチドのアンタゴニストの治療的有効量を含有してなる、哺乳動物での内皮細胞成長を刺激するための薬剤。
【請求項３２】  血管成長が阻害される、ＰＲＯ２５６ポリペプチド又はそのアゴニストの治療的有効量を含有してなる、哺乳動物での血管成長を阻害するための薬剤。
【請求項３３】  血管成長が刺激される、ＰＲＯ２５６ポリペプチドのアンタゴニストの治療的有効量を含有してなる、哺乳動物での血管成長を刺激するための薬剤。
【請求項３４】  プロテアーゼ活性が阻害される、ＰＲＯ２５６ポリペプチド又はそのアゴニストの治療的有効量を含有してなる、哺乳動物の肝細胞成長因子のプロテアーゼ活性を阻害するための薬剤。
【請求項３５】  前記哺乳動物が心臓血管、内皮又は血管新生疾患を有する、請求項３４の薬剤。
【請求項３６】  プロテアーゼが刺激される、ＰＲＯ２５６ポリペプチドのアンタゴニストの治療的有効量を含有してなる、哺乳動物の肝細胞成長因子アクチベーターのプロテアーゼ活性を刺激するための薬剤。
【請求項３７】  前記哺乳動物が心臓血管、内皮又は血管形成疾患を有する、請求項３６の薬剤。
【請求項３８】  前記心臓血管、内皮又は血管形成疾患が、末梢血管疾患、肝臓又は腎臓損傷又は再狭窄疾患である、請求項３７の薬剤。
【請求項３９】  配列番号：２に示したアミノ酸配列をコードするヌクレオチド配列に対して、少なくとも８０％の核酸配列同一性を有する単離された核酸。
【請求項４０】  配列番号：１に示したヌクレオチド配列に対して、少なくとも８０％の核酸配列同一性を有する単離された核酸。
【請求項４１】  ＡＴＣＣ寄託番号２０９３７９で寄託したＤＮＡの完全長コード化配列に対して、少なくとも８０％の核酸配列同一性を有する単離された核酸。
【請求項４２】  請求項３９の核酸を含んでなるベクター。
【請求項４３】  ベクターで形質転換した宿主細胞によって認識されるコントロール配列と作用可能に連結した請求項４２のベクター。
【請求項４４】  請求項４２のベクターを含んでなる宿主細胞。
【請求項４５】  前記細胞がＣＨＯ細胞、大腸菌、酵母細胞又はバキュロウィルス感染昆虫細胞である、請求項４４の宿主細胞。
【請求項４６】  ＰＲＯ２５６ポリペプチドの発現に適切な条件の下で請求項４４の宿主細胞を培養し、細胞培養から前記ポリペプチドを回収することを含んでなる、ＰＲＯ２５６ポリペプチドを生産する方法。
【請求項４７】  配列番号：２に示したようなアミノ酸配列に対して、少なくとも８０％のアミノ酸配列同一性を有する単離されたポリペプチド。
【請求項４８】  ＡＴＣＣ寄託番号２０９３３７９で寄託したＤＮＡの完全長コード化配列によってコードされるアミノ酸配列に対して、少なくとも８０％のアミノ酸配列同一性を有する単離されたポリペプチド。
【請求項４９】 異種アミノ酸配列と融合した請求項４７のポリペプチドを含んでなるキメラ分子。
【請求項５０】  前記異種アミノ酸配列がエピトープタッグ配列である、請求項４９のキメラ分子。
【請求項５１】  前記異種アミノ酸配列がイムノグロブリンのＦｃ領域である、請求項４９のキメラ分子。
【請求項５２】  請求項４７のポリペプチドと特異的に結合する抗体。
【請求項５３】  （ａ）その結合するシグナルペプチドを欠く、配列番号：２に示したポリヌクレオチドをコードするヌクレオチド配列；（ｂ）その結合するシグナルペプチドを有する、配列番号：２に示したポリペプチドの細胞外ドメインをコードするヌクレオチド配列；或いは（ｃ）その結合するシグナルペプチドを欠く、配列番号：２に示したポリペプチドの細胞外ドメインをコードするヌクレオチド配列に対して、少なくとも８０％の核酸配列同一性を有する単離された核酸。
【請求項５４】  （ａ）その結合シグナルペプチドを欠く、配列番号：２に示したポリペプチド；（ｂ）その結合シグナルペプチドを有する配列番号：２に示したポリペプチドの細胞外ドメイン；或いは（ｃ）その結合シグナルペプチドを欠く、配列番号：２に示したポリペプチドの細胞外ドメインに対して、少なくも８０％のアミノ酸配列同一性を有する単離されたポリペプチド。